(57)【要約】【課題】操作部の操作が行い易く、操作部が邪魔になったり、操作部に物が引っ掛かったりして、不用意に蓋体が開いてしまうことがなく、キャップ本体と蓋体との密着性をよくし、製造し易くした合成樹脂製キャップを提供する。【解決手段】キャップ本体１と蓋体２を、ヒンジ３を介して一体成形すると共に、キャップ本体と蓋体を、ヒンジ部分において伸縮性開放部材４により連結し、伸縮性開放部材の収縮の作用により蓋体がヒンジを中心として自開するようにし、キャップ本体の周壁１ａに、上側から両側にかけてスリット１０ａ、１０ｂを形成し、下端が周壁に片持ち支持され、外側からの押し込みにより弾性変形させることができるようにした弾性操作部１１を設け、弾性操作部の上端に設けた係合部１２を、蓋体の周壁２ａ内面に設けた係合部１３と係合自在とし、弾性操作部を押し込むことにより、係合部と係合部との係合が解除されるようにした。【選択図】    図８
2010089807.tif 000002
【特許請求の範囲】
【請求項１】
キャップ本体（１）と蓋体（２）を、ヒンジ（３）を介して一体成形すると共に、前記キャップ本体（１）と蓋体（２）を、ヒンジ（３）部分において伸縮性開放部材（４）により連結し、この伸縮性開放部材（４）の収縮の作用により前記蓋体（２）がヒンジ（３）を中心として自開するようにした合成樹脂製キャップにおいて、前記キャップ本体（１）の周壁（１ａ）に、上側から両側にかけてスリット（１０ａ、１０ｂ）を形成し、下端が周壁（１ａ）に片持ち支持され、外側からの押し込みにより弾性変形させることができるようにした弾性操作部（１１）を設け、この弾性操作部（１１）の上端に設けた係合部（１２）を、前記蓋体（２）の周壁（２ａ）内面に設けた係合部（１３）と係合自在とし、前記弾性操作部（１１）を押し込むことにより、前記係合部（１２）と係合部（１３）との係合が解除されるようにしたことを特徴とする合成樹脂製キャップ。
【請求項２】
前記キャップ本体（１）の周壁（１ａ）に、手指の腹の一部に合わせるような形状とした凹部（９）を形成し、この凹部（９）に前記弾性操作部（１１）を設けたことを特徴とする請求項１記載の合成樹脂製キャップ。
【請求項３】
前記弾性操作部（１１）にゴム状弾性体からなる被覆部材（１４）を密着させたものとすると共に、前記スリット（１０ａ、１０ｂ）をこの被覆部材（１４）で密閉したことを特徴とする請求項１記載の合成樹脂製キャップ。
【請求項４】
前記キャップ本体（１）を、天面（６）のノズル口（８）の回りを包囲するようにして、ゴム状弾性体からなるシール部材（１５）を密着させたものとし、前記蓋体（２）を、天面（１６）の内面にリング状突起（１７）を設けたものとし、閉蓋時において、このリング状突起（１７）で前記キャップ本体（１）のノズル口（８）の周囲のシール部材（１５）を押圧するようにしたことを特徴とする請求項１記載の合成樹脂製キャップ。
【請求項５】
前記伸縮性開放部材（４）、被覆部材（１４）およびシール部材（１５）を一体成形したものとしたことを特徴とする請求項４記載の合成樹脂製キャップ。
【請求項６】
前記伸縮性開放部材（４）、被覆部材（１４）およびシール部材（１５）を、キャップ本体（１）および蓋体（２）に二色成形により密着したものとしたことを特徴とする請求項５記載の合成樹脂製
【発明の詳細な説明】
【技術分野】
【０００１】
この発明は、ヒンジを介して蓋体の開閉が行われる合成樹脂製キャップであって、閉じている蓋体の係合を解除すると、蓋体が独りでに開放する合成樹脂製キャップに関するものである。
【背景技術】
【０００２】
従来、この種の合成樹脂製キャップは、例えば図１４〜１６に示したように、キャップ本体２１にヒンジ２２を介して蓋体２３を一体成形すると共に、キャップ本体２１と蓋体２３をヒンジ２２部分において伸縮性開放部材２４を用いて連結し、この伸縮性開放部材２４の収縮の作用により蓋体２３がヒンジ２２を中心として自開するようにしたものが存在する（特許文献１）。
【０００３】
そして、前記合成樹脂製キャップは、図１５において、蓋体２３に設けた爪２５を矢印ａ方向に押して下げると、蓋体２３のロックが解除され、伸縮性開放部材２４の収縮力により、蓋体２３は図１６に示すようにヒンジ２２を中心に９０度以上自開するとしている。
【０００４】
また、前記合成樹脂製キャップは、閉蓋時においては、キャップ本体２１のノズル口２６を蓋体２３の内面のシール部（図示せず）で押圧することにより、この合成樹脂製キャップが取り付けられる容器Ｂ等の内容物が漏れないようにしている。
【０００５】
さらに、この種の合成樹脂製キャップは、例えば図１７、１８に示したように、キャップ本体３１にメインヒンジ３２を介して上蓋３３を一体成形して、この上蓋３３が開閉自在に配設され、キャップ本体３１及び上蓋３３に形成された係止機構により上蓋３３が閉蓋位置に保持されるようにしている。そして、ゴム状弾性体からなるサブヒンジ３４をメインヒンジ３２の外回りに延在させ、サブヒンジ３４の一端はキャップ本体３１に固定し、サブヒンジ３４の他端は上蓋３３に固定し、上蓋３３の閉蓋時にサブヒンジ３４がメインヒンジ３２の外回りで弾性引張変形されるように構成してなるものが存在する（特許文献２）。
【０００６】
そして、前記合成樹脂製キャップは、上蓋３３の開蓋時、容器本体を片手で握り、例えば親指が加える開蓋操作力により上蓋３３の開蓋操作部３５を押上げる。これにより、上蓋３３の係止部３６とキャップ本体３１の係止面３７との嵌合による閉蓋係止機構が解除されると同時に、弾性引張変形状態にあったサブヒンジ３４の弾性復元力がメインヒンジ３２回りで上蓋３３の開き力として作用し、上蓋３３を開くとしている。
【０００７】
また、前記合成樹脂製キャップは、閉蓋時においては、キャップ本体３１の天面３８の膨出部３９の中央部分に開口されたノズル口４０に、上蓋３３の中央部分に形成されたインナーシール４１を嵌合させることにより、この合成樹脂製キャップが取り付けられる容器等（図示せず）の内容物が漏れないようにしている。
【特許文献１】特開２００４−６７１８５号公報（図１〜図３）
【特許文献２】特開平８−１１３２６０号公報（図１、図２）
【発明の開示】
【発明が解決しようとする課題】
【０００８】
しかしながら、上記図１４〜１６に示した合成樹脂製キャップでは、蓋体２３に設けた爪２５を矢印ａ方向に押して下げると、蓋体２３のロックが解除され、伸縮性開放部材２４の収縮力により、蓋体２３はヒンジ２２を中心に自開するとしているが、使用者は親指等で前記したような押して下げるという操作をしなければならず、この操作がしにくかったり面倒であるという課題を有していた。
【０００９】
さらに、上記合成樹脂製キャップでは、蓋体２３に設けた爪２５が、蓋体２３の胴回りから突出しているので、この爪２５が邪魔になったり、この爪２５に物が引っ掛かったりして、不用意に蓋体２３が開いてしまったりすることがあるという課題を有していた。
【００１０】
また、上記合成樹脂製キャップでは、閉蓋時においては、キャップ本体２１のノズル口２６を蓋体２３のシール部（図示せず）で押圧することにより、この合成樹脂製キャップが取り付けられる容器Ｂ等の内容物が漏れないようにしているが、キャップ本体２１と蓋体２３とは一体成形されているため、これらの材質は同一のものにしており、キャップ本体２１や蓋体２３の保形性を維持するため、一方または双方をゴム弾性を有するような密閉性のよいものにすることはできない。そのため、容器Ｂ等の内容物が漏れないようにしているといっても、密閉性がよいとはいえない。
【００１１】
そして、上記図１７、１８に示した合成樹脂製キャップでは、上蓋３３の開蓋時、容器本体を片手で握り、例えば親指が加える開蓋操作力により上蓋３３の開蓋操作部３５を押上げるとしているが、使用者は親指の爪を立てる等してこのような操作をしなければならず、その操作がしにくかったり面倒であるという課題を有していた。
【００１２】
さらに、上記合成樹脂製キャップでも、前記図１４〜１６に示した合成樹脂製キャップと同様に、上蓋３３の開蓋操作部３５が、上蓋３３の周囲から突出しているので、この開蓋操作部３５が邪魔になったり、この開蓋操作部３５に物が引っ掛かったりして、不用意に上蓋３３が開いてしまったりすることがあるという課題を有していた。
【００１３】
また、上記合成樹脂製キャップでも、前記図１４〜１６に示した合成樹脂製キャップと同様に、キャップ本体３１と上蓋３３とは一体成形されているため、これらの材質は同一のものにしており、キャップ本体３１や上蓋３３の保形性を維持するため、一方または双方をゴム弾性を有するような密閉性のよいものにすることはできない。そのため、この合成樹脂製キャップが取り付けられる容器等の内容物が漏れないようにするには、上記したように、閉蓋時においては、キャップ本体３１のノズル口４０に、上蓋３３のインナーシール４１を嵌合させるような構造にしているが、このような嵌合構造は上蓋３３を開閉しにくくするという課題を有していた。
【００１４】
そこで、この発明は、上記従来の課題を解決するものであり、爪や開蓋操作部のような操作部の操作が行い易く、さらに操作部が突出しないようにして、その操作部が邪魔になったり、操作部に物が引っ掛かったりして、不用意に蓋体が開いてしまったりすることがなく、また容器等の内容物が漏れないように、キャップ本体と蓋体との密着性をよくし、しかも製造し易くした合成樹脂製キャップを提供することを目的としてなされたものである。
【課題を解決するための手段】
【００１５】
そのため、この発明は、キャップ本体１と蓋体２を、ヒンジ３を介して一体成形すると共に、前記キャップ本体１と蓋体２を、ヒンジ３部分において伸縮性開放部材４により連結し、この伸縮性開放部材４の収縮の作用により前記蓋体２がヒンジ３を中心として自開するようにした合成樹脂製キャップにおいて、前記キャップ本体１の周壁１ａに、上側から両側にかけてスリット１０ａ、１０ｂを形成し、下端が周壁１ａに片持ち支持され、外側からの押し込みにより弾性変形させることができるようにした弾性操作部１１を設け、この弾性操作部１１の上端に設けた係合部１２を、前記蓋体２の周壁２ａ内面に設けた係合部１３と係合自在とし、前記弾性操作部１１を押し込むことにより、前記係合部１２と係合部１３との係合が解除されるようにしている。
【００１６】
そして、この発明の合成樹脂製キャップは、前記キャップ本体１の周壁１ａに、手指の腹の一部に合わせるような形状とした凹部９を形成し、この凹部９に前記弾性操作部１１を設けたものとしている。
【００１７】
さらに、この発明の合成樹脂製キャップは、前記弾性操作部１１にゴム状弾性体からなる被覆部材１４を密着させたものとすると共に、前記スリット１０ａ、１０ｂをこの被覆部材１４で密閉したものとしている。
【００１８】
また、この発明の合成樹脂製キャップは、前記キャップ本体１を、天面６のノズル口８の回りを包囲するようにして、ゴム状弾性体からなるシール部材１５を密着させたものとし、前記蓋体２を、天面１６の内面にリング状突起１７を設けたものとし、閉蓋時において、このリング状突起１７で前記キャップ本体１のノズル口８の周囲のシール部材１５を押圧するようにしている。
【００１９】
さらに、この発明の合成樹脂製キャップは、前記伸縮性開放部材４、被覆部材１４およびシール部材１５を一体成形したものとしている。
【００２０】
また、この発明の合成樹脂製キャップは、前記一体成形した伸縮性開放部材４、被覆部材１４およびシール部材１５を、キャップ本体１および蓋体２に二色成形により密着したものとしている。
【発明の効果】
【００２１】
この発明の合成樹脂製キャップは、以上に述べたように構成されているので、操作部の操作が行い易く、さらに操作部が突出しないものとなり、その操作部が邪魔になったりすることがなく、操作部に物が引っ掛かることがなく、不用意に蓋体が開いてしまったりすることがなく、またキャップ本体と蓋体との密着性がよくなり、容器等の内容物が漏れないようになり、しかも製造し易いものとなる。
【発明を実施するための最良の形態】
【００２２】
以下、この発明の合成樹脂製キャップを実施するための最良の形態を、図面に基づいて詳細に説明する。
【００２３】
この発明の合成樹脂製キャップは、図１〜１２に示すように、キャップ本体１と蓋体２とを、二本のヒンジ３を介して一体成形しており、これら二本のヒンジ３により蓋体２を開閉自在に構成している。キャップ本体１と蓋体２は、二本ヒンジ３の間に位置するようにしたゴム状弾性体からなる伸縮性開放部材４により連結され、この伸縮性開放部材４の収縮の作用により蓋体２が前記ヒンジ３を中心として自開するようにしている。
【００２４】
キャップ本体１は、上端に周溝５を形成し、天面６を有した略円筒形状にしており、この略円筒の内面に取付部７が形成されており、この取付部７を容器Ｂ等の口頸部Ｂｎに取り付けるようにしている。このキャップ本体１の天面６には、中央部分にノズル口８が開口されており、前記容器Ｂ等を搾ったり、押し付けるなどすることにより、このノズル口８から容器Ｂ等の内容物が吐出されるようにしている。
【００２５】
前記キャップ本体１の周壁１ａには、手指の腹の一部に合わせるような形状とした凹部９が形成されており、この凹部９には、上側から両側にかけてスリット１０ａ、１０ｂを形成し、下端が周壁１ａに片持ち支持され、外側からの押し込みにより弾性変形させることができるようにした弾性操作部１１を設けている。この弾性操作部１１の上端には、係合部１２を設けたものとし、この係合部１２を後に述べる蓋体２の周壁２ａ内面の下端部に設けた係合部１３と係合自在としている。そして、前記弾性操作部１１を押し込むことにより、キャップ本体１側の係合部１２と蓋体２側の係合部１３との係合が解除されるようにしている。さらに、前記弾性操作部１１には、ゴム状弾性体からなる被覆部材１４を密着させたものとしており、前記スリット１０ａ、１０ｂもこの被覆部材１４で密閉したものとしている。
【００２６】
前記キャップ本体１の天面６には、ノズル口８の回りを包囲するようにして、ゴム状弾性体からなるシール部材１５を密着させたものとしている。このシール部材１５は、前記伸縮性開放部材４および被覆部材１４と一体成形したものとしており、またこれらの部材は、キャップ本体１および蓋体２に二色成形によって密着したものとしている。このような成形方法によれば、この発明の合成樹脂製キャップは、非常に製造し易いものとなる。
【００２７】
蓋体２は、天面１６を有する略円筒形状にしており、前記キャップ本体１より平坦なものにすると共に、下部内周がキャップ本体１の上端に形成した周溝５に嵌合するようにしている。この蓋体２の天面１６の内面の中央部分には、キャップ本体１のノズル口８を密閉するためのリング状突起１７が設けられており、閉蓋時において、このリング状突起１７でキャップ本体１のノズル口８の周囲のシール部材１５を押圧することにより、このキャップ本体１のノズル口７を密閉し、容器Ｂ等の内容物が漏れないようにしている。
【００２８】
前記蓋体２の周壁２ａには、手指の腹の一部に合わせるような形状とした凹部１８が形成されている。この凹部１８の内面の下端部には、前記したように弾性操作部１１の上端に設けた係合部１２との係合部１３を設けたものとしている。
【００２９】
そして、前記キャップ本体１、蓋体２および二本のヒンジ３は、弾性変形可能なポリプロピレン樹脂などの熱可塑性樹脂が一般に用いられ、前記伸縮性開放部材４、被覆部材１４およびシール部材１５は、ゴムまたはエラストマーなどのうち、前記キャップ本体１および蓋体２との密着性に優れたものが用いられる。
【００３０】
以上のように構成されたこの発明の合成樹脂製キャップは、開蓋するには、図１３の（ａ）に示したように、容器Ｂ等の胴部を片手で握り、親指でキャップ本体１の弾性操作部１１を押し込む。この場合、前記弾性操作部１１は、凹部９に設けられており、ゴム状弾性体からなる被覆部材１４を密着させたものとしているので、親指が滑ることがなく操作がし易いものとなる。また、スリット１０ａ、１０ｂをこの被覆部材１４で密閉したものとしているので、弾性操作部１１がへたることなく、耐久性に優れたものとなる。さらに、弾性操作部１１は、キャップ本体１の周壁１ａから突出していないので、この弾性操作部１１が邪魔になったりすることがなく、物が引っ掛かるなどして、不用意に蓋体が開いてしまったりすることはない。
【００３１】
前記弾性操作部１１を押し込むと、キャップ本体１の係合部１２と蓋体２の係合部１３との係合が解除され、キャップ本体１と蓋体２を連結した伸縮性開放部材４の収縮力が働き、図１３の（ｂ）に示したように、蓋体２が撥ね上げられ、この伸縮性開放部材４の収縮の作用により、蓋体２が前記ヒンジ３を中心として図１２に示したように完全に開蓋される。
【００３２】
この発明の合成樹脂製キャップは、閉蓋するには、容器Ｂ等の胴部を片手で握ったまま、図１２に示したように完全に開蓋された蓋体２に人差指を掛けて、キャップ本体１側に蓋体２を戻して、蓋体２をその人差指で押さえると、蓋体２はキャップ本体１の周溝５に嵌まり込み、キャップ本体１の係合部１２と蓋体２の係合部１３とが係合し、閉蓋状態が維持されることになる。
【００３３】
そして、この発明の合成樹脂製キャップは、前記閉蓋時において、キャップ本体１のノズル口８の周囲のシール部材１５が、蓋体２の天面１６の内面に設けられたリング状突起１７で押圧されることになるので、キャップ本体１のノズル口８の密閉性は良くなり、容器Ｂ等の内容物が漏れるようなことはない。
【図面の簡単な説明】
【００３４】
【図１】この発明の合成樹脂製キャップの閉蓋状態の斜視図である。
【図２】この発明の合成樹脂製キャップの閉蓋状態の側面図である。
【図３】この発明の合成樹脂製キャップの閉蓋状態の背面図である。
【図４】この発明の合成樹脂製キャップの閉蓋状態の底面図である。
【図５】この発明の合成樹脂製キャップの図１中のＡ−Ａ線による断面図である。
【図６】この発明の合成樹脂製キャップを容器に取り付けた状態で、閉蓋した状態の一部省略断面図である。
【図７】この発明の合成樹脂製キャップの開蓋状態の斜視図である。
【図８】この発明の合成樹脂製キャップの開蓋状態の分解斜視図である。
【図９】この発明の合成樹脂製キャップの開蓋状態の平面図である。
【図１０】この発明の合成樹脂製キャップの開蓋状態の側面図である。
【図１１】この発明の合成樹脂製キャップの図７中のＢ−Ｂ線による断面図である。
【図１２】この発明の合成樹脂製キャップを容器に取り付けた状態で、開蓋した状態の一部省略断面図である。
【図１３】この発明の合成樹脂製キャップの開蓋操作状態を示す説明図である。
【図１４】従来の合成樹脂製キャップの一例を容器に取り付けた状態の斜視図である。
【図１５】図１４に示す従来の合成樹脂製キャップの閉蓋状態の側面図である。
【図１６】図１４に示す従来の合成樹脂製キャップの開蓋状態の側面図である。
【図１７】従来の合成樹脂製キャップの他の例を示す閉蓋状態の側断面図である。
【図１８】図１７に示す従来の合成樹脂製キャップの開蓋状態の側断面図である。
【符号の説明】
【００３５】
１  キャップ本体
１ａ  周壁
２  蓋体
２ａ  周壁
３  ヒンジ
４  伸縮性開放部材
６  天面
８  ノズル口
９  凹部
１０ａ  スリット
１０ｂ  スリット
１１  弾性操作部
１２  係合部
１３  係合部
１４  被覆部材
１５  シール部材
１６  天面
１７  リング状突起
【図１】
2010089807.tif 000003
【図２】
2010089807.tif 000004
【図３】
2010089807.tif 000005
【図４】
2010089807.tif 000006
【図５】
2010089807.tif 000007
【図６】
2010089807.tif 000008
【図７】
2010089807.tif 000009
【図８】
2010089807.tif 000010
【図９】
2010089807.tif 000011
【図１０】
2010089807.tif 000012
【図１１】
2010089807.tif 000013
【図１２】
2010089807.tif 000014
【図１３】
2010089807.tif 000015
【図１４】
2010089807.tif 000016
【図１５】
2010089807.tif 000017
【図１６】
2010089807.tif 000018
【図１７】
2010089807.tif 000019
【図１８】
2010089807.tif 000020